(57)【要約】【課題】本体を手で把持したり、机上に設置したりしたとしても、スピーカーから出力される音声を聞き取りやすくすることができる電子機器を実現する。【解決手段】スピーカー１３を上面パネル２２の近傍に配置し、発音部１３ａが底面１ｂ側を向くように配置したことにより、従来のように孔部１１から音声を出力することができるとともに、電池収納部１５の内部空間１５ａを介して、底面１ｂに設けられた隙間１２ａ、および背面１ｄに設けられた隙間６ｆ〜６ｍなどから音声を出力することができる。よって、例えばデジタルカメラ１を、液晶モニタ７が机上面に対して垂直となる姿勢で机上に載置した際に、底面１ｂに形成された隙間１２ａが机上面によって閉塞されてしまうが、孔部１１や隙間６ｆ〜６ｍは開放しているため、使用者は音声を聞き取ることができる。【選択図】図７
2010028480.tif 000002
【特許請求の範囲】
【請求項１】
筐体と、
前記筐体における一つの内面近傍に配されたスピーカーとを備え、
前記スピーカーは、その発音部が、前記内面に対向する他の内面側を向くように配されている、電子機器。
【請求項２】
前記他の内面には可動部が設けられている、請求項１記載の電子機器。
【請求項３】
前記他の内面に接する面には可動部が設けられている、請求項１または２記載の電子機器。
【請求項４】
収納口より部材を収容可能な収納部と、
前記収納部の近傍に配されたスピーカーとを備え、
前記スピーカーは、その発音部が、前記収納部の前記収納口側を向くように配されている、電子機器。
【発明の詳細な説明】
【技術分野】
【０００１】
本発明は、音声を再生出力可能なスピーカーを備えた電子機器に関する。
【背景技術】
【０００２】
近年、電子機器の一種であるデジタルカメラは、被写体を動画として撮影する機能およびその動画を再生する機能が付加されていることが多い。デジタルカメラで動画を再生する場合、映像はデジタルカメラに搭載された液晶モニタに表示され、音声はデジタルカメラに搭載されたスピーカーから出力されるように構成されている。
【０００３】
特許文献１には、デジタルカメラにおけるスピーカーの配置構成について開示されている。特許文献１に開示されたデジタルカメラは、筐体に多孔部を設け、その多孔部の内側にスピーカーを配置している。スピーカーは、発音部が外側を向くように配置されている。スピーカーから発せられた音声は、多孔部を介して外部に出力される。
【特許文献１】特開２００３−２８３８９６号公報
【発明の開示】
【発明が解決しようとする課題】
【０００４】
しかしながら、デジタルカメラはさらなる小型化・薄型化・高機能化が進み、筐体に多孔部を設けることが困難になってきている。よって、良好な音響効果を得ることが困難になってきている。
【０００５】
本発明の目的は、可動部の隙間を利用するため、小型化・薄型化・高機能化を実現しながら良好な音響効果を得ることができる電子機器を実現することである。
【課題を解決するための手段】
【０００６】
本発明の第１の電子機器は、筐体と、前記筐体における一つの内面近傍に配されたスピーカーとを備え、前記スピーカーは、その発音部が、前記内面に対向する他の内面側を向くように配されているものである。
【０００７】
本発明の第２の電子機器は、収納口より部材を収容可能な収納部と、前記収納部の近傍に配されたスピーカーとを備え、前記スピーカーは、その発音部が、前記収納部の前記収納口側を向くように配されているものである。
【発明の効果】
【０００８】
本発明によれば、小型化・薄型化・高機能化を実現しながら良好な音響効果を得ることができる。
【発明を実施するための最良の形態】
【０００９】
本発明の電子機器は、上記構成を基本として、以下のような態様をとることができる。すなわち、本発明の電子機器において、前記他の内面には可動部が設けられている構成とすることができる。
【００１０】
また、本発明の電子機器において、前記他の内面に接する面には可動部が設けられている構成とすることができる。
【００１１】
（実施の形態）
〔１．電子機器の構成〕
図１Ａ及び図１Ｂは、本実施の形態における電子機器の一例であるデジタルカメラの斜視図である。図１Ｃは、デジタルカメラの上面図である。図１Ｄは、デジタルカメラの底面図である。図１Ｅは、デジタルカメラの背面図である。なお、本実施の形態では、電子機器の一例としてデジタルカメラを挙げているが、少なくとも音声を出力可能なスピーカーを備えた電子機器であればよく、例えば携帯電話端末、携帯型テレビジョン受像機、携帯ゲーム機などでもよい。
【００１２】
図１Ａ〜図１Ｅに示すように、デジタルカメラ１は、その外郭が主に前面パネル２１、上面パネル２２、および背面パネル２３によって覆われている。また、デジタルカメラ１の前面１ｃには、外部の光をデジタルカメラ１内に取り込むことが可能な撮像手段５が配されている。撮像手段５は、主にレンズ、鏡筒から構成され、デジタルカメラ１の内部に配されている撮像素子まで光を導くことができる。
【００１３】
また、図１Ｃに示すように、デジタルカメラ１の上面１ａ（上面パネル２２）には、押圧操作することで撮像素子で撮像している画像を取り込むことができるレリーズボタン２、回転操作することで撮像手段５におけるズームレンズを光軸方向へ移動させ光像の拡大や縮小を行うことができるズームレバー３、回転操作することにより通常撮影モードや近接撮影モードやパソコン接続モードなどの各種動作モードを選択可能なモードダイヤル４などが配されている。また、上面１ａには、複数の孔部１１が形成されている。孔部１１は、デジタルカメラ１内に配されたスピーカー１３（後述）から出力される音声を外部に導出するためのものである。本実施の形態では、孔部１１は３個としたが、この数には限定されない。孔部１１はズームレバー３とモードダイヤル４の間隙に最小限度を形成したが、孔部１１を形成するだけの間隙が得られない場合は、孔部１１は形成しなくてもよい。
【００１４】
また、図１Ｄに示すように、デジタルカメラ１の底面１ｂには、電池蓋１２が開閉自在に配されている。電池蓋１２は、デジタルカメラ１に配された電池収納部１５（後述）を開閉するためのものである。また、電池蓋１２は、電池収納部１５を閉塞した状態において、前面パネル２１の底面２１ａとの間、および背面パネル２３の底面２３ａとの間に、隙間１２ａが存在している。隙間１２ａは、少なくとも電池収納部１５まで空間的につながっている。
【００１５】
また、図１Ｅに示すように、デジタルカメラ１の背面１ｄには、操作部６、液晶モニタ７などが配されている。操作部６は、上方向ボタン６ａ、右方向ボタン６ｂ、左方向ボタン６ｃ、下方向ボタン６ｄ、決定ボタン６ｅを備えている。また、各ボタン６ａ〜６ｅは、背面パネル２３に形成された孔部６ｆ，６ｇ，６ｈ，６ｋ，６ｍ内にそれぞれ配され、その先端が背面パネル２３の表面に対して突出するように配されている。また、各ボタン６ａ〜６ｅと孔部６ｆ〜６ｍとの間には、ボタン６ａ〜６ｅをスムーズにストロークさせることができるように、微小な隙間が存在する。この微小な隙間は、電池収納部１５まで空間的につながっている。また、液晶モニタ７は、撮像手段５を介して入射する光像に基づき生成された画像や、デジタルカメラ１に装着されたメモリカードなどの記録媒体から再生された画像などを表示することができる。
【００１６】
〔２．スピーカーの配置構成〕
図２Ａ及び図２Ｂは、前面パネル２１の構成を示す斜視図である。図２Ｃは、前面パネル２１の上面図である。図２Ｄは、前面パネル２１の内側の構成を示す背面図である。図２Ａ〜図２Ｄに示すように、前面パネル２１の内側には、電池１７（後述）を収納可能な電池収納部１５が配されている。電池収納部１５の上面には、スピーカー１３を保持するためのスピーカー保持部１５ａ（図４Ａ等を参照して後述）が形成されている。スピーカー１３は、スピーカー保持部１５ａに形成された爪部（不図示）に係合して固定されている。スピーカー１３は、例えば、デジタルカメラ１に装着されたメモリカードなどの記録媒体に記録されている動画データを再生した際にその動画データから復調された音声や、操作部６を操作した際のビープ音などを出力することができる。
【００１７】
図３は、スピーカー１３の構成を示す斜視図である。図３に示すように、スピーカー１３は、略円盤形状をなしており、その一方の面側に音声が出力される発音部１３ａを備えている。また、スピーカー１３の他方の面側には、端子１３ｃ及び１３ｄに入力される電気信号を機械的振動に変換するマグネット１３ｅが配されている。また、マグネット１３ｅの近傍には基板１３ｂが配され、基板１３ｂにはスピーカー１３に電気信号を入力するための端子１３ｃ及び１３ｄが配されている。また、スピーカー１３は、図２Ｄに示すように、前面パネル２１の上部近傍に配され、発音部１３ａが下方（矢印Ａに示す向き）を向くように配置されている。よって、発音部１３ａから出力される音声は、主に矢印Ａに示す方向に伝わる。
【００１８】
図４Ａは、電池収納部１５の構成を示す斜視図である。図４Ｂは、電池収納部１５の上面図である。図４Ｃは、電池収納部１５の下面図である。図４Ａ及び図４Ｂに示すように、電池収納部１５の上面には、略円筒状のスピーカー保持部１５ａが形成されている。スピーカー保持部１５ａの内部底面には、複数の孔部１５ｂが形成されている。孔部１５ｂは、スピーカー保持部１５ａの内部空間と電池収納部１５の内部空間１５ｃとを空間的につなげるように形成され、スピーカー１３から出力される音声を内部空間１５ｃへ導くことができる。前述したように、本実施の形態のスピーカー１３は、その発音部１３ａがデジタルカメラ１の底面１ｂ側を向くように配されているため、発音部１３ａは孔部１５ｂに対向する。
【００１９】
図５Ａ及び図５Ｂは、上面パネル２２の斜視図である。図５Ａは、上面パネル２２の上面側の構成を示す。図５Ｂは、上面パネル２２の下面側の構成を示す。図５Ｂに示すように、上面パネル２２の下面には、各種電気回路が実装されているプリント基板１６が配されている。プリント基板１６の一方の実装面には、レリーズボタン２が押圧操作されることによりレリーズボタン２の底面によって押圧されるプッシュスイッチや、モードダイヤル４の回転操作に連動して切り換えられる回転スイッチが配されている。また、プリント基板１６の他方の実装面には、スピーカー１３の端子１３ｃ及び１３ｄ（図３参照）が接続される端子１６ａ及び１６ｂが配されている。上面パネル２２を、図２Ａ〜図２Ｄに示すようにスピーカー１３が配された前面パネル２１に装着することで、端子１６ａ及び１６ｂがスピーカー１３の端子１３ｃ及び１３ｄに接触する。これにより、プリント基板１６とスピーカー１３とを電気的に接続することができる。
【００２０】
以下、スピーカー１３から出力される音声の経路について説明する。
【００２１】
図６は、デジタルカメラ１における電池収納部１５及びその近傍の構成を示す斜視図である。図７は、図６におけるＺ−Ｚ部の断面図である。図６及び図７に示すように、電池収納部１５の上面にはスピーカー１３が配されている。また、図７に示すように、電池収納部１５の内部空間１５ｃには、電池１７が収納されている。
【００２２】
このような状態において、スピーカー１３の端子１３ｃ及び１３ｄに電気信号を入力すると、発音部１３ａから音声が出力される。この時、スピーカー１３は、その発音部１３ａが電池収納部１５側（デジタルカメラの底面１ｂ側）を向くように配されているため、発音部１３ａから出力される音声は孔部１５ｂを介して内部空間１５ｃへ伝わる。
【００２３】
内部空間１５ｃへ伝わった音声は、電池１７と電池収納部１５の内壁との隙間を介して、隙間１２ａから外部へ漏れる。これにより、デジタルカメラ１の近傍にいる使用者は、隙間１２ａから漏れる音声を聞き取ることができる。なお、隙間１２ａは、電池蓋１２と、前面パネル２１の底面２１ａ（図１Ｄ参照）及び背面パネル２３の底面２３ａ（図１Ｄ参照）との間に形成されている。
【００２４】
また、内部空間１５ｃは、隙間６ｆ，６ｇ，６ｈ，６ｋ，６ｍ（図１Ｅ参照）にも空間的につながっている。したがって、内部空間１５ｃに伝わった音声は、電池１７と電池収納部１５の内壁との隙間を介して、隙間６ｆ，６ｇ，６ｈ，６ｋ，６ｍから外部に漏れる。これにより、デジタルカメラ１の近傍にいる使用者は、隙間６ｆ，６ｇ，６ｈ，６ｋ，６ｍから漏れる音声を聞き取ることができる。
【００２５】
また、スピーカー１３から出力される音声は、プリント基板１６に形成された微小な孔を介して、上面パネル２２に形成された孔部１１から外部に漏れる。これにより、デジタルカメラ１の近傍にいる使用者は、孔部１１から漏れる音声を聞き取ることができる。
【００２６】
なお、底面１ｂは本発明の他の内面の一例である。背面パネル２３は本発明の他の内面に接する面の一例である。電池収納部１５は本発明の収納部の一例である。電池蓋１２及び各ボタン６ａ〜６ｅは、本発明における可動部の一例である。
【００２７】
〔３．実施の形態の効果、他〕
本実施の形態によれば、スピーカー１３を上面パネル２２の近傍に配置し、発音部１３ａが電池収納部１５側（底面１ｂ側）を向くように配置したことにより、孔部１１の有無にかかわらず良好な音響効果を得ることができる。すなわち、デジタルカメラ１の小型化・軽量化・高機能化により孔部１１を形成するスペースを確保することができなかったとしても、筐体における既存の隙間から音声を出力することで、良好な音響効果を得ることができる。
【００２８】
また、本実施の形態では、従来のように孔部１１から音声を出力することができるとともに、電池収納部１５の内部空間１５ａを介して、底面１ｂに設けられた隙間１２ａ、および背面１ｄに設けられた隙間６ｆ〜６ｍなどから音声を出力することができる。よって、例えばデジタルカメラ１を、底面１ｂが机上面に当接する姿勢で机上に載置した際に、底面１ｂに形成された隙間１２ａが机上面によって閉塞されてしまうが、孔部１１や隙間６ｆ〜６ｍは開放しているため、使用者は音声を聞き取ることができる。また、使用者がデジタルカメラ１を手で把持して、孔部１１や隙間６ｆ〜６ｍを指などで閉塞していたとしても、隙間１２ａが開放しているため、使用者は音声を聞き取ることができる。
【００２９】
また、本実施の形態では、隙間１２ａや隙間６ｆ〜６ｍなどから音声を出力する構成であるため、上面パネル２２とスピーカー１３との間にプリント基板１６（図５Ｂ参照）が配されていたとしても、良好な音響効果を得ることができる。
【００３０】
なお、本実施の形態では、隙間１２ａ、隙間６ｆ〜６ｍ、孔部１１を介して音声を外部に出力する構成としたが、これら以外にも隙間や孔部を設けて音声を外部に出力する構成としてもよい。
【００３１】
また、本実施の形態では、デジタルカメラ１の底面１ｂに形成された隙間１２ａから音声を出力する構成としたが、電池蓋１２に音声出力用の微小な孔部を形成する構成としても同様の効果が得られる。
【００３２】
また、本実施の形態では、スピーカー１３をデジタルカメラ１の上面１ａの近傍に配置する構成としたが、スピーカー１３をデジタルカメラ１の底面１ｂの近傍に配置し、上面１ａ側に発音部１３ａを向けて配置する構成としてもよい。
【００３３】
また、本実施の形態では、スピーカー１３をデジタルカメラ１の上面１ａの近傍に配置し、発音部１３ａを底面１ｂ側に向けて配置する構成としたが、発音部１３ａの向きは底面１ｂ側に限らず、隙間１２ａや隙間６ｆ〜６ｍなどに発音部１３ａから出力される音声を導くことができれば前面１ｃ側や背面１ｄ側に向く配置であってもよい。
【００３４】
また、本実施の形態では、スピーカー１３から出力される音声を電池収納部１５を介して外部に導く構成としたが、経由させる部材は電池収納部１５に限らず、例えばメモリカードを着脱可能なカードスロットを介して音声を外部に導く構成であってもよい。
【００３５】
また、本実施の形態では、図１Ｃに示すように上面パネル２２に孔部１１を設ける構成としたが、設けない構成としてもよい。
【００３６】
また、本実施の形態では、スピーカー１３をその発音部１３ａがデジタルカメラ１の内側を向くように配置する構成としたが、デジタルカメラ１の外側を向くように配置する構成としてもよい。例えば、スピーカー１３を本実施の形態のように電池収納部１５の上面に配置し、発音部１３ａを上面パネル２２側を向くように配置する。このような構成とする場合は、スピーカー１３の発音部１３ａから発せられた音声が隙間１２ａなどに伝わるような筒状の部材を設ければよい。
【産業上の利用可能性】
【００３７】
本発明は、音声を出力可能なスピーカーを備えた電子機器に有用である。
【図面の簡単な説明】
【００３８】
【図１Ａ】実施の形態における電子機器の外観を示す斜視図
【図１Ｂ】実施の形態における電子機器の外観を示す斜視図
【図１Ｃ】実施の形態における電子機器の外観を示す上面図
【図１Ｄ】実施の形態における電子機器の外観を示す底面図
【図１Ｅ】実施の形態における電子機器の外観を示す側面図
【図２Ａ】実施の形態の電子機器における前面パネルの斜視図
【図２Ｂ】実施の形態の電子機器における前面パネルの斜視図
【図２Ｃ】実施の形態の電子機器における前面パネルの上面図
【図２Ｄ】実施の形態の電子機器における前面パネルの側面図
【図３】スピーカーの斜視図
【図４Ａ】電池収納部の斜視図
【図４Ｂ】電池収納部の上面図
【図４Ｃ】電池収納部の底面図
【図５Ａ】上面パネルの斜視図
【図５Ｂ】上面パネルの下面図
【図６】電子機器における電池収納部近傍の斜視図
【図７】電子機器における電池収納部近傍の断面図
【符号の説明】
【００３９】
１３  スピーカー
１３ａ  発音部
１５  電池収納部
【図１Ａ】
2010028480.tif 000003
【図１Ｂ】
2010028480.tif 000004
【図１Ｃ】
2010028480.tif 000005
【図１Ｄ】
2010028480.tif 000006
【図１Ｅ】
2010028480.tif 000007
【図２Ａ】
2010028480.tif 000008
【図２Ｂ】
2010028480.tif 000009
【図２Ｃ】
2010028480.tif 000010
【図２Ｄ】
2010028480.tif 000011
【図３】
2010028480.tif 000012
【図４Ａ】
2010028480.tif 000013
【図４Ｂ】
2010028480.tif 000014
【図４Ｃ】
2010028480.tif 000015
【図５Ａ】
2010028480.tif 000016
【図５Ｂ】
2010028480.tif 000017
【図６】
2010028480.tif 000018
【図７】
2010028480.tif 000019